(57)【要約】【課題】  背面にプリーツピッチ保持機構がなく、前面側、背面側いずれの方向からの体裁も良好で、プリーツスクリーン装置やカーテンに適用可能な幕体を提供する。【解決手段】  幕体１は、それぞれ同数の形状記憶されたプリーツ４，５を備えた表生地２と裏生地３とが、当該プリーツ４，５の各谷折り部４ｂ，５ｂにおいて互いに重合され、当該重合部６において互いに接着されてなる。表生地２と裏生地３のプリーツの山折り部４ａ，５ａは、互いに同一方向に屈曲しており、表生地２の山折り部４ａの生地幅Ｗ１が裏生地３の山折り部５ａの生地幅より大きく設定され、それによって、展開時に、表生地２の山折り部４ａと裏生地３の山折り部５ａとの間に空間Ｓが形成され、裏生地３が表生地２のプリーツピッチの保持機能を有する。【選択図】図１
2010196423.tif 000002
【特許請求の範囲】
【請求項１】
それぞれ同数の形状記憶されたプリーツを備えた表生地と裏生地とが、当該プリーツの各谷折り部において互いに重合され、当該重合部において互いに接着されてなり、
前記表生地と裏生地のプリーツの山折り部は互いに同一方向に屈曲しており、表生地の山折り部の生地幅が裏生地の山折り部の生地幅より大きく設定され、それによって、展開時に、表生地の山折り部と裏生地の山折り部との間に空間が形成され、裏生地が表生地のプリーツピッチの保持機能を有することを特徴とする幕体。
【請求項２】
前記表生地および裏生地のプリーツにおける山折り部が、湾曲山形に形状記憶されることを特徴とする請求項１に記載の幕体。
【請求項３】
前記表生地のプリーツにおける山折り部が、屈折山形に形状記憶され、裏生地のプリーツにおける山折り部が、湾曲山形に形状記憶されることを特徴とする請求項１に記載の幕体。
【請求項４】
前記表生地のプリーツにおける山折り部が、湾曲山形に形状記憶され、裏生地のプリーツにおける山折り部が、屈折山形に形状記憶されることを特徴とする請求項１に記載の幕体。
【請求項５】
前記表生地のプリーツにおける山折り部が、屈折山形に形状記憶され、裏生地のプリーツにおける山折り部が、屈折山形に形状記憶されることを特徴とする請求項１に記載の幕体。
【請求項６】
請求項１ないし５のいずれかに記載の幕体が、そのプリーツが、上下方向に延びる向きに用いられることを特徴とする横開き式のカーテン又はプリーツスクリーン装置。
【請求項７】
ヘッドレールとボトムレールとの間に、請求項１ないし５のいずれかに記載の幕体が、そのプリーツを横方向に向けて張設されることを特徴とする上下開き式のプリーツスクリーン装置。
【請求項８】
前記幕体の各重合部には、上下方向に抜ける昇降コード通し孔が設けられ、この昇降コード通し孔を貫通して前記ボトムレールを昇降させる昇降コードが設けられることを特徴とする請求項５に記載のプリーツスクリーン装置。
【請求項９】
前記表生地と裏生地の各プリーツの両端部に、前記空間の両端部を常時閉鎖する伸縮自在の閉鎖部が設けられることを特徴とする請求項１に記載の幕体。
【発明の詳細な説明】
【技術分野】
【０００１】
この発明は、幕体と、これを用いたカーテン又はプリーツスクリーン装置に関する。
【背景技術】
【０００２】
従来、加熱成形等の手段でプリーツを形状記憶させた幕体を用いたプリーツカーテン（ドレープカーテン）やプリーツスクリーン（シェード）装置が知られている。
従来のプリーツカーテンやプリーツスクリーン装置の幕体は、一枚の生地で構成され、プリーツのピッチを固定したい場合には、ピッチを保持するためのコードやテープ等の副資材を必要としている。
例えば、特許文献１には、ヘッドレールとボトムレールの間に張設されるプリーツスクリーンと、プリーツスクリーンのプリーツの山腹を抜ける昇降コード通し孔と、その昇降コード通し孔を貫通してボトムレールを昇降させる昇降コードと、プリーツピッチ保持機構とからなるプリーツスクリーン装置が記載されている。プリーツピッチ保持機構は、プリーツスクリーンのプリーツピッチを規定する広幅なテープをヘッドレールから垂下し、そのテープにプリーツスクリーンのプリーツと同数のループを等間隔で取り付け、上下に並ぶループを、プリーツスクリーンの上下に並ぶプリーツに順次配置し、各プリーツにおいて昇降コードをループに挿通する構成である。
【先行技術文献】
【特許文献】
【０００３】
【特許文献１】特開２００５−９０１９８号公報
【発明の概要】
【発明が解決しようとする課題】
【０００４】
上記従来のプリーツピッチ保持機構は、テープがスクリーンの背面側に配置されるため、背面の体裁が未だに良好とはいえない。また、テープの脇から光り漏れが生じるので、スクリーン展開時の昇降コード通し孔からの光の漏れを完全には防止することができない。
したがって、この出願に係る発明は、背面に従来のプリーツピッチ保持機構がなく、前面側、背面側いずれの方向からの体裁も良好であり、またプリーツスクリーン装置に適用したときに、スクリーン展開時の昇降コード通し孔からの光の漏れを完全に防止することができる幕体を提供することを課題としている。
【課題を解決するための手段】
【０００５】
上記課題を解決するための、この出願に係る発明の幕体１は、それぞれ同数の形状記憶されたプリーツ４，５を備えた表生地２と裏生地３とが、当該プリーツ４，５の各谷折り部４ｂ，５ｂにおいて互いに重合され、当該重合部６において互いに接着されてなる。表生地２と裏生地２のプリーツの山折り部４ａ，５ａは、互いに同一方向に屈曲しており、表生地の山折り部４ａの生地幅Ｗ１が裏生地の山折り部５ａの生地幅W2より大きく設定され、それによって、展開時に、表生地の山折り部４ａと裏生地の山折り部５ａとの間に空間Ｓが形成され、裏生地３が表生地２のプリーツピッチの保持機能を有する。
上記幕体１の表生地２および裏生地３のプリーツ４，５における山折り部４ａ，５ａは、湾曲山形に形状記憶されたものとすることができる。
上記幕体１の表生地２のプリーツ４における山折り部４ａは、屈折山形に形状記憶され、裏生地３のプリーツ５における山折り部５ａは、湾曲山形に形状記憶されたものとすることができる。
上記幕体１の表生地２のプリーツ４における山折り部４ａは、湾曲山形に形状記憶され、裏生地３のプリーツ５における山折り部５ａは、屈折山形に形状記憶されたものとすることができる。
上記幕体１の表生地２のプリーツ４における山折り部４が、屈折山形に形状記憶され、裏生地３のプリーツ５における山折り部５ａは、屈折山形に形状記憶されたものとすることができる。
プリーツ４，５を、上下方向に延びる向きに用いて、上記幕体１を横開き式のカーテン２１又はプリーツスクリーン装置１１として構成することができる。
上記幕体１を、そのプリーツ４，５を横方向に向けてヘッドレール１２とボトムレール１３との間に張設し、それによって上下開き式のプリーツスクリーン装置１１を構成することができる。
上記プリーツスクリーン装置１１の幕体１の各重合部６に、上下方向に抜ける昇降コード通し孔６ａが設け、この昇降コード通し孔６ａを貫通してボトムレール１３を昇降させる昇降コード１４を設けることができる。
上記プリーツスクリーン装置１１の表生地２と裏生地３の各プリーツ４，５の両端部に、空間Ｓの両端部を常時閉鎖する伸縮自在の閉鎖部１５を設けることができる。
【発明の効果】
【０００６】
この出願に係る発明の幕体１によれば、展開時に、表生地２の山折り部４ａと裏生地３の山折り部５ａとの間に空間Ｓが形成され、裏生地３が表生地２のプリーツ４のピッチを保持する機能を有するため、従来のプリーツピッチ保持機構がなく、前面側、背面側いずれの方向からの体裁も良好であり、遮光、保温機能に優れるという効果がある。また、形状記憶されたプリーツ４，５を備えた表生地２と裏生地３との二重構成で、プリーツの１ピッチごとに谷折り部４ｂ，５ｂにおいて、プリーツの長さ方向の全長にわたって表生地２と裏生地３とが接着されているため、プリーツ４が常時美しく表れるという効果がある。
また、この幕体１は、上下開閉式のカーテン又はプリーツスクリーン装置あるいはシェード装置にも、また横方向開閉式のカーテン又はプリーツスクリーン装置にも適用することができる。
また、この幕体１をプリーツスクリーン装置１１に適用し、表生地２と裏生地３との重合部６に、上下方向に抜ける昇降コード通し孔６ａを設け、これに昇降コード１４を通す構成とすれば、スクリーン展開時の昇降コード通し孔６ａからの光の漏れを完全に防止し、遮光性能を向上させることができるという効果がある。
表生地２と裏生地３の各プリーツ４，５の両端部に、空間Ｓの両端部を常時閉鎖する伸縮自在の閉鎖部１５を設ければ、空間Ｓ内への昆虫や塵埃の侵入を防止することができるし、保温効果も高められる。
【図面の簡単な説明】
【０００７】
【図１】本発明を適用したプリーツスクリ−ン装置の概略的側面図である。
【図２】図１のプリーツスクリーン装置の要部の概略的斜視図である。
【図３】表生地と裏生地の自然状態を示す概略的斜視図である。
【図４】図１のプリーツスクリーン装置の一部の断面図である。
【図５】他の実施形態のプリーツスクリーン装置の要部の概略的斜視図である。
【図６】本発明をカーテンに適用した実施形態の概略的斜視図である。
【図７】本発明をカーテンに適用した他の実施形態の概略的斜視図である。
【図８】本発明の他の実施形態に係るプリーツスクリーン装置の要部の概略的斜視図である。
【図９】図８のプリーツスクリーン装置の背面側の概略的斜視図である。
【図１０】図８のプリーツスクリーン装置の分解した概略的斜視図である。
【図１１】図８のプリーツスクリーン装置の伸縮過程を示す分解した概略的斜視図である。
【図１２】本発明のさらに他の実施形態に係るプリーツスクリーン装置の要部の概略的斜視図である。
【図１３】図１２のプリーツスクリーン装置の背面側の概略的斜視図である。
【図１４】図１２のプリーツスクリーン装置の分解した概略的斜視図である。
【図１５】図１２のプリーツスクリーン装置の伸縮過程を示す分解した概略的斜視図である。
【発明を実施するための形態】
【０００８】
図面を参照してこの発明の実施の形態を説明する。
図１ないし図４に示す上下開き式のプリーツスクリーン（シェード）装置１１において、ヘッドレール１２とボトムレール１３との間に、幕体１が、そのプリーツを横方向に向けて張設される。
【０００９】
幕体１は、互いに所要部位で接着された表生地２と裏生地３とからなる。表生地２と裏生地３は、それぞれ同数の形状記憶されたプリーツ４，５を備える。表生地２および裏生地３の素材は、いずれも、織物、編み物、不織布その他、所定の形状を加熱プレスその他の方法で記憶させることができるあらゆるシート状のものを含む。
【００１０】
プリーツ４，５は、同一方向に屈曲した山折り部４ａ，５ａと谷折り部４ｂ，５ｂとを備える。なお、幕体１において、山折り部４ａ，５ａが突出する側を正面側、その反対側を背面側とする。図3に示すように、山折り部４ａ，５ａはいずれも自然状態で湾曲山形になるように形状記憶される。表生地２の山折り部４ａの上下方向の生地幅Ｗ１は、裏生地３の山折り部５ａの生地幅Ｗ２より大きく設定される。
【００１１】
図４に示すように、プリーツ４，５は、谷折り部４ｂ，５ｂにおいて重ねて折り曲げられ、重合部６において接着剤７で互いに接着される。接着剤７としては、熱可塑性、熱硬化性の他、種々の性質ものを選択して用いることができる。各重合部６には、上下方向に抜ける昇降コード通し孔６ａ（図２）が設けられ、この昇降コード通し孔６ａを貫通して、ボトムレール１３を昇降させる昇降コード１４が設けられる。なお、図１３に示すように、重合部６に、別途、昇降コード挿通用のリング８を取り付ける構成とすることもできる。
【００１２】
表生地２の山折り部４ａの幅Ｗ１は、裏生地３の山折り部５ａの幅Ｗ２より大きく設定されているから、図１（Ａ）によく示すように、幕体１の展開時に、表生地２のプリーツ４が屈曲を維持した状態で、裏生地３のプリーツ５は伸展している。このため、表生地の山折り部４ａと裏生地の山折り部５ａとの間に空間Ｓが形成され、裏生地５は、表生地４のプリーツピッチを保持する機能を有する。
【００１３】
表生地４と裏生地５は、性質の異なる２種のものを適宜組み合わせ、それぞれの持つ遮光性、透光性、消臭性等の機能を複合させることができる。表生地４と裏生地５の双方のプリーツ４，５が重ねられるため、プリーツの形状を安定させ、美しく保つことができる。また、表生地４と裏生地５の二重構成で、両者のプリーツ４，５間に空間Ｓが形成されるため、保温性、遮音性が高められる。重合部６に、上下方向に抜ける昇降コード通し孔６ａが設けられるため、昇降コード通し孔６ａから光が漏れることがなく、良好な遮光性を得ることができる。プリーツピッチを保持するためのテープ等の副資材を必要としないので、背面側の構成がシンプルとなり、背面側の美観が向上する。
【００１４】
図５は、他の実施形態のプリーツスクリーン装置の側面図であり、表生地２の山折り部４ａを屈折山形に形状記憶し、裏生地３の山折り部５ａを湾曲山形に形状記憶してなる幕体１を用いた他の実施形態のプリーツスクリーン装置１１を示す。山折り部４ａの形状が異なるほかは先の実施形態と同等の構成であるから、対応構成部に同一の符号を付して説明を省略する。
【００１５】
図６，図７はカーテン２１の概略的斜視図である。プリーツ４，５を縦方向に向けた幕体１をカーテン２１として用いる実施形態を示す。各重合部６の上端部に、図示しないフックを装着し、これをカーテンレールのランナに掛けて左右方向開きのカーテンとする。この実施形態においては昇降コードに対応する部材は用いられない。先の実施形態と同等の構成部に同一の符号を付して説明を省略する。
【００１６】
以上のように、本発明に係る幕体１をカーテンに適用しても、プリーツスクリーン装置におけるとほぼ同等の効果を有することが明らかである。
【００１７】
図８ないし図１５には、他の実施形態のカーテン３１，４１を示す。なお先の実施形態と同等の構成部に同一の符号を付して説明を省略する。この実施形態においては、表生地２と裏生地３の各プリーツ４，５の両端部に、両生地２，３間の空間の両端部を常時閉鎖する伸縮自在の閉鎖部１５が設けられる。閉鎖部１５は、各プリーツ４，５の両端部にそれぞれ形成された折り曲げ部１５ａ，１５ｂからなる。各折り曲げ部１５ａ，１５ｂは、プリーツ４，５の伸縮に伴い、予め形状記憶されている折り線に沿って所定形状に屈曲する。両曲げ部１５ａ，１５ｂは、屈曲の過程において、互いの縁部が常時接触し、表裏両生地２，３間の空間の両端部を常時ほぼ閉鎖する。なお、閉鎖部１５は、伸縮自在の構造であればよいから、図示の実施形態に限定されるものでない。図１２ないし図１５に示すカーテン４１においては、プリーツ４，５は、谷折り部４ｂ，５ｂにおいて折り線上で重なる重合部６が形成され、互いに接着剤７で接着される。重合部６には、別途、昇降コード挿通用のリング８が取り付けられる。表生地２と裏生地３の各プリーツ４，５の両端部に、空間Ｓの両端部を常時閉鎖する伸縮自在の閉鎖部１５を設ければ、空間Ｓ内への昆虫や塵埃の侵入を防止することができるし、保温効果も高められる。
【符号の説明】
【００１８】
１    幕体
２    表生地
３    裏生地
４    表生地のプリーツ
４ａ  山折り部
４ｂ  谷折り部
５    裏生地のプリーツ
５ａ  山折り部
５ｂ  谷折り部
６    重合部
６ａ  昇降コード通し孔
７    接着剤
８    リング
１１  プリーツスクリーン装置
１２  ヘッドレール
１３  ボトムレール
１４  昇降コード
２１  カーテン
３１  プリーツスクリーン装置
４１  プリーツスクリーン装置
【図１】
2010196423.tif 000003
【図２】
2010196423.tif 000004
【図３】
2010196423.tif 000005
【図４】
2010196423.tif 000006
【図５】
2010196423.tif 000007
【図６】
2010196423.tif 000008
【図７】
2010196423.tif 000009
【図８】
2010196423.tif 000010
【図９】
2010196423.tif 000011
【図１０】
2010196423.tif 000012
【図１１】
2010196423.tif 000013
【図１２】
2010196423.tif 000014
【図１３】
2010196423.tif 000015
【図１４】
2010196423.tif 000016
【図１５】
2010196423.tif 000017
【手続補正書】
【提出日】平成21年4月13日(2009.4.13)
【手続補正１】
【補正対象書類名】明細書
【補正対象項目名】０００５
【補正方法】変更
【補正の内容】
【０００５】
上記課題を解決するため、この出願に係る発明の幕体１は、それぞれ同数の形状記憶されたプリーツ４，５を備えた表生地２と裏生地３とが、当該プリーツ４，５の各谷折り部４ｂ，５ｂにおいて互いに重合され、当該重合部６において互いに接着されてなる。表生地２と裏生地３のプリーツの山折り部４ａ，５ａは、互いに同一方向に屈曲しており、表生地の山折り部４ａの生地幅Ｗ１が裏生地の山折り部５ａの生地幅W2より大きく設定され、それによって、展開時に、表生地の山折り部４ａと裏生地の山折り部５ａとの間に空間Ｓが形成され、裏生地３が表生地２のプリーツピッチの保持機能を有する。
上記幕体１の表生地２および裏生地３のプリーツ４，５における山折り部４ａ，５ａは、湾曲山形に形状記憶されたものとすることができる。
上記幕体１の表生地２のプリーツ４における山折り部４ａは、屈折山形に形状記憶され、裏生地３のプリーツ５における山折り部５ａは、湾曲山形に形状記憶されたものとすることができる。
上記幕体１の表生地２のプリーツ４における山折り部４ａは、湾曲山形に形状記憶され、裏生地３のプリーツ５における山折り部５ａは、屈折山形に形状記憶されたものとすることができる。
上記幕体１の表生地２のプリーツ４における山折り部４ａが、屈折山形に形状記憶され、裏生地３のプリーツ５における山折り部５ａは、屈折山形に形状記憶されたものとすることができる。
プリーツ４，５を、上下方向に延びる向きに用いて、上記幕体１を横開き式のカーテン２１又はプリーツスクリーン装置１１として構成することができる。
上記幕体１を、そのプリーツ４，５を横方向に向けてヘッドレール１２とボトムレール１３との間に張設し、それによって上下開き式のプリーツスクリーン装置１１を構成することができる。
上記プリーツスクリーン装置１１の幕体１の各重合部６に、上下方向に抜ける昇降コード通し孔６ａを設け、この昇降コード通し孔６ａを貫通してボトムレール１３を昇降させる昇降コード１４を設けることができる。
上記プリーツスクリーン装置１１の表生地２と裏生地３の各プリーツ４，５の両端部に、空間Ｓの両端部を常時閉鎖する伸縮自在の閉鎖部１５を設けることができる。
【手続補正２】
【補正対象書類名】明細書
【補正対象項目名】００１２
【補正方法】変更
【補正の内容】
【００１２】
表生地２の山折り部４ａの幅Ｗ１は、裏生地３の山折り部５ａの幅Ｗ２より大きく設定されているから、図１（Ａ）によく示すように、幕体１の展開時に、表生地２のプリーツ４が屈曲を維持した状態で、裏生地３のプリーツ５は伸展している。このため、表生地２の山折り部４ａと裏生地３の山折り部５ａとの間に空間Ｓが形成され、裏生地３は、表生地２のプリーツピッチを保持する機能を有する。
【手続補正３】
【補正対象書類名】明細書
【補正対象項目名】００１３
【補正方法】変更
【補正の内容】
【００１３】
表生地２と裏生地３は、性質の異なる２種のものを適宜組み合わせ、それぞれの持つ遮光性、透光性、消臭性等の機能を複合させることができる。表生地２と裏生地３の双方のプリーツ４，５が重ねられるため、プリーツの形状を安定させ、美しく保つことができる。また、表生地２と裏生地３の二重構成で、両者のプリーツ４，５間に空間Ｓが形成されるため、保温性、遮音性が高められる。重合部６に、上下方向に抜ける昇降コード通し孔６ａが設けられるため、昇降コード通し孔６ａから光が漏れることがなく、良好な遮光性を得ることができる。プリーツピッチを保持するためのテープ等の副資材を必要としないので、背面側の構成がシンプルとなり、背面側の美観が向上する。
【手続補正５】
【補正対象書類名】図面
【補正対象項目名】図１４
【補正方法】変更
【補正の内容】
【図１４】
2010196423.tif 000018
【手続補正６】
【補正対象書類名】図面
【補正対象項目名】図１５
【補正方法】変更
【補正の内容】
【図１５】
2010196423.tif 000019